【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
第１の所定厚さおよび第１の所定ステッチ／糸密度を有する第１の層と；
第２の所定厚さおよび第２の所定ステッチ／糸密度を有する第２の層と；
第３の所定厚さおよび第３の所定ステッチ／糸密度を有する中間層とを含む殺菌性複合材料であって、
前記中間層が前記第１の層と前記第２の層との間に挟まれ、かつ、前記第１の層および前記第２の層と連結されて、編みおよび織りの１つにより三次元構造体を形成しており、前記三次元構造体中の各層が複数の開口を有することにより、前記殺菌性複合材料を通した空気の循環を可能にしており；
前記複数の開口のそれぞれは、所定のサイズを有し、前記開口の前記所定のサイズは、前記編みおよび織りの1つの工程のインチ当たりのコースおよびインチ当たりのウェールで制御され、
前記第３の所定ステッチ／糸密度が、前記第１の所定ステッチ／糸密度および前記第２の所定ステッチ／糸密度より小さいことにより、前記第１の層および前記第２の層の少なくとも１つが流体と接触したときの流体のウィッキングを可能にし、
前記三次元構造体の各層は、溶出しない形で殺菌剤と架橋された（ｃｒｏｓｓ  ｌｉｎｋｅｄ）表面部分を有する、殺菌性複合材料。
【請求項２】
前記第１の所定厚さが１００μｍ〜１０００μｍの範囲にある、請求項１に記載の殺菌性複合材料。
【請求項３】
前記第２の所定厚さが１００μｍ〜１０００μｍの範囲にある、請求項１に記載の殺菌性複合材料。
【請求項４】
前記第３の所定厚さが６００μｍ〜６０００μｍの範囲にある、請求項１に記載の殺菌性複合材料。
【請求項５】
前記流体が生体液である、請求項１に記載の殺菌性複合材料。
【請求項６】
前記三次元構造体中の各層が、流体および気体に対して透過性である、請求項１に記載の殺菌性複合材料。
【請求項７】
前記三次元構造体中の各層が、天然繊維、合成繊維、および再生繊維からなる群から選択される少なくとも１つの材料を含み、前記再生繊維がポリエステル、アクリル、ポリアミド、ポリウレタン、再生セルロース、ポリアクリロニトリル、ポリトリフェニレンテレフタレート、ポリブチレンテレフタレート、ポリ乳酸、アラミド、メタアラミド、ナイロン６、ナイロン６．６、ポリプロピレン、ポリエチレン、ポリ−ｐ−フェニレンテレフタルアミド、ポリ−ｍ−フェニレンテレフタルアミド、天然ゴム、羊毛、綿、亜麻、レーヨン、ジュート、およびリンネルからなる群から選択される、請求項１に記載の殺菌性複合材料。
【請求項８】
前記三次元構造体中の少なくとも１つの層が、加工糸／繊維、多成分糸／繊維、ポリウレタン、および天然ゴムからなる群から選択される、エラストマー材料から構成されることにより弾性特性を付与する、請求項７に記載の殺菌性複合材料。
【請求項９】
表面部分と架橋している前記殺菌剤が、式１の化合物
【化１】
2016522029.tif 000001
（式中、
Ｒ１は、水素またはＣ１〜Ｃ４アルキルから独立に選択され；
Ｒ２は、Ｃ１〜Ｃ８炭素原子を有する二価炭化水素基であり；
Ｒ３は、水素またはＣ１〜Ｃ４アルキルから独立に選択され；
Ｒ４は、水素またはＣ１〜Ｃ１０アルキルから独立に選択され；
Ｒ５は、Ｃ８〜Ｃ２２飽和または不飽和炭化水素基であり；
Ｘは、Ｃｌ−、Ｂｒ−、Ｉ−、ＯＨ−、ＨＣＯ３−、ＣＯ３２−からなる群から選択される対アニオンである）
である、請求項１に記載の殺菌性複合材料。
【請求項１０】
前記殺菌剤が、３−（トリメトキシシリル）プロピル−Ｎ−オクタデシル−Ｎ，Ｎ−ジメチルアンモニウムクロリド、３−（トリメトキシシリル）プロピル−Ｎ−テトラデシル−Ｎ，Ｎ−ジメチルアンモニウムクロリド、３−（トリメトキシシリル）プロピル−Ｎ，Ｎ−ジデシル−Ｎ−メチルアンモニウムクロリド、および３−（トリヒドロキシシリル）プロピル−Ｎ−オクタデシル−Ｎ，Ｎ−ジメチルアンモニウムクロリドからなる群から選択される１つである、請求項９に記載の殺菌性複合材料。
【請求項１１】
創傷被覆材の全体または一部において使用される、請求項１に記載の殺菌性複合材料。
【請求項１２】
グラム陽性菌、グラム陰性菌、ウイルス、および菌類の１つまたは複数、またはそれらの組合せによって引き起こされた創傷を治療するのに使用される、請求項１に記載の殺菌性複合材料。
【請求項１３】
空気、水、およびミルクからなる流体の少なくとも１つ、またはそれらの組合せを滅菌するフィルターとして使用される、請求項１に記載の殺菌性複合材料。
【請求項１４】
生理用ナプキン、タンポン、トイレ用付属品、おむつ、サニタリーワイプ、手術衣、手術用手袋、外科用スクラブ、マットレスカバー、寝具類、寝具用シーツおよび枕カバー、手術室カバー、病院用診察台カバー、病院用生物廃棄物処理袋、病院用カーテン、空調用フィルター、フェイスマスク、肉の貯蔵およびパッキング材料の１つまたは複数の、全体または一部において使用するための、請求項１に記載の殺菌性複合材料。
【請求項１５】
前記三次元構造体中の各層が、利用できる表面部分を増大させるためにマイクロファイバーおよびナノファイバーの少なくとも１つを含み、増大した前記表面部分により、結合した前記殺菌剤の濃度を、表面の増大がない表面に比べて増大できるようにする、請求項１に記載の殺菌性複合材料。
【請求項１６】
前記編みがスペーサー編みであり、前記織りがスペーサー織りである、請求項１に記載の殺菌性複合材料。
【請求項１７】
一部または全体に、請求項１に記載の殺菌性複合材料を含む、創傷被覆材。
【請求項１８】
前記第１の所定厚さが、１００μｍ〜１０００μｍの範囲にある、請求項１７に記載の創傷被覆材。
【請求項１９】
前記第２の所定厚さが、１００μｍ〜１０００μｍの範囲にある、請求項１７に記載の創傷被覆材。
【請求項２０】
前記第３の所定厚さが、６００μｍ〜６０００μｍの範囲にある、請求項１７に記載の創傷被覆材。
【請求項２１】
前記三次元構造体中の各層が、創傷からの体液および気体に対して選択的に透過性である、請求項１７に記載の創傷被覆材。
【請求項２２】
前記三次元構造体中の各層が、天然繊維、合成繊維、再生繊維およびそれらの組合せからなる群から選択される少なくとも１つの材料から構成され、
前記再生繊維は、ポリエステル、アクリル、ポリアミド、ポリウレタン、再生セルロース、ポリアクリロニトリル、加工ポリエチレンテレフタレート、ポリトリフェニレンテレフタレート、ポリブチレンテレフタレート、ポリ乳酸、アラミド、メタアラミド、ナイロン６、ナイロン６．６、ポリプロピレン、ポリエチレン、ポリ−ｐ−フェニレンテレフタルアミド、ポリ−ｍ−フェニレンテレフタルアミド、天然ゴム、羊毛、綿、亜麻、レーヨン、ジュート、リンネルおよびそれらの組合せからなる群から選択される、請求項１７に記載の創傷被覆材。
【請求項２３】
前記三次元構造体中の少なくとも１つの層がバイオポリマーから構成され、前記バイオポリマーが、ポリ乳酸、ポリグリコール酸、およびカプロラクタムからなる群から選択される少なくとも１つの材料を含む、請求項１７に記載の創傷被覆材。
【請求項２４】
前記三次元構造体中の少なくとも１つの層が、生物活性剤を含み、前記生物活性剤の持続した時間放出を付与し、前記生物活性剤が、ビタミン、ミネラル、抗炎症剤、抗生物質、消毒剤、止血剤、および鎮痛剤からなる群から選択される少なくとも１つの生物活性剤を含む、請求項２３に記載の創傷被覆材。
【請求項２５】
前記三次元構造体中の少なくとも１つの層がエラストマー材料を含み、前記エラストマー材料が、弾性特性を付与するための、加工糸／繊維、多成分糸／繊維、ポリウレタン、および天然ゴムからなる群から選択される、請求項１７に記載の創傷被覆材。
【請求項２６】
増大した前記表面部分と架橋している前記殺菌剤が、式Ｉの化合物
【化２】
2016522029.tif 000002
（式中、
Ｒ１＝水素および／またはＣ１〜Ｃ４アルキルであり；
Ｒ２＝Ｃ１〜Ｃ８炭素原子を有する二価炭化水素基であり；
Ｒ３＝水素またはＣ１〜Ｃ４アルキルであり；
Ｒ４＝水素またはＣ１〜Ｃ１０アルキルであり；
Ｒ５＝Ｃ８〜Ｃ２２飽和または不飽和炭化水素基であり；
Ｘ＝アルキルハライドである）
である、請求項１７に記載の創傷被覆材。
【請求項２７】
前記殺菌剤が、３−（トリメトキシシリル）プロピル−Ｎ−オクタデシル−Ｎ，Ｎ−ジメチルアンモニウムクロリド、３−（トリメトキシシリル）プロピル−Ｎ−テトラデシル−Ｎ，Ｎ−ジメチルアンモニウムクロリド、３−（トリメトキシシリル）プロピル−Ｎ，Ｎ−ジデシル−Ｎ−メチルアンモニウムクロリド、および３−（トリヒドロキシシリル）プロピル−Ｎ−オクタデシル−Ν，Ν−ジメチルアンモニウムクロリドからなる群から選択される１つである、請求項２６に記載の創傷被覆材。
【請求項２８】
前記三次元構造体中の各層が、利用できる表面部分を増大させるためにマイクロファイバーおよびナノファイバーの少なくとも１つを含み、増大した前記表面部分により、結合した前記殺菌剤の濃度を増大できるようにする、請求項１７に記載の創傷被覆材。
【請求項２９】
前記編みがスペーサー編みであり、前記織りがスペーサー織りである、請求項１７に記載の創傷被覆材。